【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
（１）第１の符号化シーケンスから、第１の数のＭ1値信号を生成し、（２）第２の符号化シーケンスから、第２の数のＭ2値信号を生成するように構成された生成ユニットと、
前記第１の数のＭ1値信号および前記第２の数のＭ2値信号を多重化して、多重化Ｍ値信号を生成するように構成された多重化ユニットと、
を備え、前記Ｍ1および前記Ｍ2は整数である、
Ｍ値エンコーディング装置。
【請求項２】
バイナリデータから、前記第１の符号化シーケンスおよび前記第２の符号化シーケンスを符号化するように構成された符号化ユニットをさらに備えた、請求項１に記載のＭ値エンコーディング装置。
【請求項３】
前記符号化ユニットは、（１）Ｋ個のバイナリデータビットの第１のセットを符号化して、前記第１の符号化シーケンスおよび前記第２の符号化シーケンスの第１の部分を生成し、（２）Ｋ個のバイナリデータビットの１つまたは複数のさらなるセットを符号化して、前記第１の符号化シーケンスおよび前記第２の符号化シーケンスの１つまたは複数のさらなる部分を生成するように構成された、請求項２に記載のＭ値エンコーディング装置。
【請求項４】
前記多重化ユニットは、前記第１の数のＭ1値信号および前記第２の数のＭ2値信号を時間多重化および／または周波数多重化するように構成された、請求項１に記載のＭ値エンコーディング装置。
【請求項５】
前記第１の数のＭ1値信号はＮ1個のＭ1値信号であり、前記第２の数のＭ2値信号はＮ2個のＭ2値信号であり、前記Ｎ1および前記Ｎ2は整数である、請求項１に記載のＭ値エンコーディング装置。
【請求項６】
決定された結果として、（１）チャネルの誤り率、（２）前記チャネルに関連付けられた雑音レベル、（３）ビットあたりの信号対雑音比（ＳＮＲ）のうちのいずれかを決定し、
前記決定された結果に基づいて実数Ｍを確立し、
［Ｍ］が前記実数Ｍ以下の最大の整数である場合、Ｍ1＝［Ｍ］としてＭ1を決定し、Ｍ2＝［Ｍ］＋１としてＭ2を決定する、
ように構成されたプロセッサをさらに備えた、請求項１に記載のＭ値エンコーディング装置。
【請求項７】
前記第１の数のＭ1値信号はＮ1個のＭ1値信号であり、前記第２の数のＭ2値信号はＮ2個のＭ2値信号であり、前記Ｎ1および前記Ｎ2は整数であり、
Ｋは、式Ｋ＝［Ｎ1ｌｏｇ2Ｍ1＋Ｎ2ｌｏｇ2Ｍ2］を使用して決定される、
請求項３に記載のＭ値エンコーディング装置。
【請求項８】
Ｎ＝Ｎ1＋Ｎ2であり、
Ｎj（ｊ＝１または２）は、伝送効率レベルおよび計算の複雑さレベルに基づいて決定され、
前記伝送効率レベルは、前記多重化Ｍ値信号の信号成分あたりの平均伝送ビット数を含み、
信号成分あたりの前記平均伝送ビット数は、［Ｎ1ｌｏｇ2Ｍ1＋Ｎ2ｌｏｇ2Ｍ2］／Ｎとして計算される、
請求項５に記載のＭ値エンコーディング装置。
【請求項９】
Ｍj（ｊ＝１または２）が２、４、８、１６、または３２である場合、Ｎj（ｊ＝１または２）は１であり、
Ｍj（ｊ＝１または２）が３、６、１２、または２３である場合、Ｎj（ｊ＝１または２）は２であり、
Ｍj（ｊ＝１または２）が２１、または２６である場合、Ｎj（ｊ＝１または２）は３であり、
Ｍj（ｊ＝１または２）が５、１０、２０、または２７である場合、Ｎj（ｊ＝１または２）は４であり、
Ｍj（ｊ＝１または２）が７、１１、１３、１４、１９、２２、２５、または２８である場合、Ｎj（ｊ＝１または２）は５であり、
Ｍj（ｊ＝１または２）が９、１５、１８、または２９である場合、Ｎj（ｊ＝１または２）は６であり、
Ｍj（ｊ＝１または２）が２４である場合、Ｎj（ｊ＝１または２）は７であり、
Ｍj（ｊ＝１または２）が３０である場合、Ｎj（ｊ＝１または２）は８であり、
Ｍj（ｊ＝１または２）が３１である場合、Ｎj（ｊ＝１または２）は１０であり、
Ｍj（ｊ＝１または２）が１７である場合、Ｎj（ｊ＝１または２）は１２である、
請求項８に記載のＭ値エンコーディング装置。
【請求項１０】
前記生成ユニットは、
Ｍ1個の電圧レベルを有している前記第１の数の第１のパルス振幅変調（ＰＡＭ）信号を生成するように構成された第１のＰＡＭ信号ジェネレータと、
Ｍ2個の電圧レベルを有している前記第２の数の第２のＰＡＭ信号を生成するように構成された第２のＰＡＭジェネレータと、を含み、
前記多重化ユニットは、前記第１のＰＡＭ信号および前記第２のＰＡＭ信号を時間的に多重化するように構成された第１の多重化モジュールを含む、
請求項１に記載のＭ値エンコーディング装置。
【請求項１１】
前記生成ユニットは、
Ｍ1個の電圧レベルを有している前記第１の数の第３のＰＡＭ信号を生成するように構成された第３のＰＡＭジェネレータと、
Ｍ2個の電圧レベルを有している前記第２の数の第４のＰＡＭ信号を生成するように構成された第４のＰＡＭジェネレータと、をさらに含み、
前記多重化ユニットは、前記第３のＰＡＭ信号および前記第４のＰＡＭ信号を時間的に多重化するように構成された第２の多重化モジュールをさらに含む、
請求項１０に記載のＭ値エンコーディング装置。
【請求項１２】
前記第１の多重化モジュールは、前記第１のＰＡＭ信号が時間上で最初であり、および前記第２のＰＡＭ信号が時間上で２番目であるように、第１のＰＡＭ多重化信号として、前記第１のＰＡＭ信号および前記第２のＰＡＭ信号を時間的に多重化するように構成され、
前記第２の多重化モジュールは、前記第３のＰＡＭ信号が時間上で最初であり、および前記第４のＰＡＭ信号が時間上で２番目であるように、第２のＰＡＭ多重化信号として、前記第３のＰＡＭ信号および前記第４のＰＡＭ信号を多重化するように構成される、
請求項１１に記載のＭ値エンコーディング装置。
【請求項１３】
前記第１のＰＡＭ多重化信号とコサイン信号を掛け合わせて、Ｉチャネル変調信号を生成するように構成された第１の乗算器と、
前記第２のＰＡＭ多重化信号と前記コサイン信号に直交するサイン信号を掛け合わせて、Ｑチャネル変調信号を生成するように構成された第２の乗算器と、
前記Ｉチャネル変調信号と前記Ｑチャネル変調信号を加算するように構成された加算器と、
をさらに備えた、請求項１２に記載のＭ値エンコーディング装置。
【請求項１４】
前記符号化ユニットは、
直列バイナリデータを、Ｋビットの並列データに変換するように構成された直並列変換器と、
前記Ｋビットの並列データを、前記第１の符号化シーケンスおよび前記第２の符号化シーケンスにマッピングするように構成されたシンボルマッパと、
を含む、請求項２に記載のＭ値エンコーディング装置。
【請求項１５】
入力クロック信号をＫ分周して、分周されたクロック信号を生成するように構成されたＫ分周器と、
前記分周されたクロック信号の周波数をＮ倍して、逓倍されたクロック信号を生成するように構成されたＮ周波数逓倍器と
をさらに備え、
前記シンボルマッパは、前記分周されたクロック信号に応答して動作するように構成され、
前記生成ユニットは、前記逓倍されたクロック信号に応答して動作するように構成された、
請求項１４に記載のＭ値エンコーディング装置。
【請求項１６】
前記多重化Ｍ値信号は、（１）Ｎ時間次元Ｍ値ＰＡＭ信号、（２）Ｎ時間次元Ｍ値振幅偏移変調（ＡＳＫ）信号、（３）Ｎ時間次元Ｍ値周波数偏移変調（ＦＳＫ）信号、（４）Ｎ時間次元Ｍ値位相偏移変調（ＰＳＫ）信号、（５）Ｎ時間次元Ｍ値直交振幅変調（ＱＡＭ）信号、および（６）Ｎ時間次元およびＬ周波数次元Ｍ値振幅、位相、および周波数変調（ＡＰＦＳＫ）信号のうちの１つである、請求項１に記載のＭ値エンコーディング装置。
【請求項１７】
前記Ｎ時間次元およびＬ周波数次元Ｍ値ＡＰＦＳＫ信号を生成するときに周波数がスキップされるように、閾値を超えるチャネル間干渉（ＩＣＩ）を有しているチャネル環境に対して１つまたは複数のコードを割り当てるように構成されたプロセッサをさらに備えた、請求項１６に記載のＭ値エンコーディング装置。
【請求項１８】
（１）第１の符号化シーケンスから、第１の数のＭ1値信号を生成し、（２）第２の符号化シーケンスから第２の数のＭ2値信号を生成するステップと、
前記第１の数のＭ1値信号および前記第２の数のＭ2値信号を多重化して、多重化Ｍ値信号を生成するステップと、
を含み、前記Ｍ1および前記Ｍ2は整数である、Ｍ値エンコーディング方法。
【請求項１９】
バイナリデータから、前記第１の符号化シーケンスおよび前記第２の符号化シーケンスを符号化するステップをさらに含む、請求項１８に記載のＭ値エンコーディング方法。
【請求項２０】
前記第１の符号化シーケンスおよび前記第２の符号化シーケンスの前記符号化は、（１）Ｋ個のバイナリデータビットの第１のセットを符号化して、前記第１の符号化シーケンスおよび前記第２の符号化シーケンスの第１の部分を生成するステップと、（２）Ｋ個のバイナリデータビットの１つまたは複数のさらなるセットを符号化して、前記第１の符号化シーケンスおよび前記第２の符号化シーケンスの１つまたは複数のさらなる部分を生成するステップと、を含む、請求項１９に記載のＭ値エンコーディング方法。
【請求項２１】
前記第１の数のＭ1値信号および前記第２の数のＭ2値信号の前記多重化は、前記第１の数のＭ1値信号および前記第２の数のＭ2値信号を時間多重化および／または周波数多重化するステップを含む、請求項１８に記載のＭ値エンコーディング方法。
【請求項２２】
前記第１の数のＭ1値信号はＮ1個のＭ1値信号であり、前記第２の数のＭ2値信号はＮ2個のＭ2値信号であり、前記Ｎ1および前記Ｎ2は整数である、請求項１８に記載のＭ値エンコーディング方法。
【請求項２３】
決定された結果として、（１）チャネルの誤り率、（２）前記チャネルに関連付けられた雑音レベル、（３）ビットあたりの信号対雑音比（ＳＮＲ）のうちのいずれかを決定するステップと、
前記決定された結果に基づいて実数Ｍを確立するステップと、
［Ｍ］が前記実数Ｍ以下の最大の整数である場合、Ｍ1＝［Ｍ］としてＭ1を決定し、Ｍ2＝［Ｍ］＋１としてＭ2を決定するステップと、
をさらに含む、請求項１８に記載のＭ値エンコーディング方法。
【請求項２４】
前記第１の数のＭ1値信号はＮ1個のＭ1値信号であり、前記第２の数のＭ2値信号はＮ2個のＭ2値信号であり、前記Ｎ1および前記Ｎ2は整数であり、
式Ｋ＝［Ｎ1ｌｏｇ2Ｍ1＋Ｎ2ｌｏｇ2Ｍ2］を使用してＫを決定するステップをさらに含む、
請求項２０に記載のＭ値エンコーディング方法。
【請求項２５】
Ｍ1およびＭ2に基づいてＮ1およびＮ2を選択するステップをさらに含む、請求項２２に記載のＭ値エンコーディング方法。
【請求項２６】
前記第１の数のＭ1値信号の前記生成は、Ｍ1個の電圧レベルを有しているＮ1個の第１のＰＡＭ信号を生成するステップを含み、
前記第２の数のＭ2値信号の前記生成は、Ｍ2個の電圧レベルを有しているＮ2個の第２のＰＡＭ信号を生成するステップを含み、
前記第１の数のＭ1値信号の前記生成は、Ｍ1個の電圧レベルを有しているＮ1個の第３のＰＡＭ信号を生成するステップをさらに含み、
前記第２の数のＭ2値信号の前記生成は、Ｍ2個の電圧レベルを有しているＮ2個の第４のＰＡＭ信号を生成するステップをさらに含み、
前記第１の数のＭ1値信号および前記第２の数のＭ2値信号の前記多重化は、（１）前記第１のＰＡＭ信号および前記第２のＰＡＭ信号、および（２）前記第３のＰＡＭ信号および前記第４のＰＡＭ信号を時間的に多重化するステップを含む、
請求項１８に記載のＭ値エンコーディング方法。
【請求項２７】
前記第１のＰＡＭ信号および前記第２のＰＡＭ信号の前記時間的多重化は、（１）前記第１のＰＡＭ信号が時間上で最初であり、および前記第２のＰＡＭ信号が時間上で２番目であるように、第１のＰＡＭ多重化信号として、前記第１のＰＡＭ信号および前記第２のＰＡＭ信号を時間的に多重化するステップと、（２）前記第３のＰＡＭ信号が時間上で最初であり、および前記第４のＰＡＭ信号が時間上で２番目であるように、第２のＰＡＭ多重化信号として、前記第３のＰＡＭ信号および前記第４のＰＡＭ信号を多重化するステップと、を含む、
請求項２６に記載のＭ値エンコーディング方法。
【請求項２８】
前記第１のＰＡＭ多重化信号とコサイン信号を掛け合わせて、Ｉチャネル変調信号を生成するステップと、
前記第２のＰＡＭ多重化信号と前記コサイン信号に直交するサイン信号を掛け合わせて、Ｑチャネル変調信号を生成するステップと、
前記Ｉチャネル変調信号と前記Ｑチャネル変調信号を加算するステップと、
をさらに含む、請求項２７に記載のＭ値エンコーディング方法。
【請求項２９】
直列バイナリデータを、Ｋビットの並列データに変換するステップと、
前記Ｋビットの並列データを、前記第１の符号化シーケンスおよび前記第２の符号化シーケンスにマッピングするステップと、
をさらに含む、請求項１８に記載のＭ値エンコーディング方法。
【請求項３０】
前記多重化Ｍ値信号は、（１）Ｎ時間次元Ｍ値ＰＡＭ信号、（２）Ｎ時間次元Ｍ値振幅偏移変調（ＡＳＫ）信号、（３）Ｎ時間次元Ｍ値周波数偏移変調（ＦＳＫ）信号、（４）Ｎ時間次元Ｍ値位相偏移変調（ＰＳＫ）信号、（５）Ｎ時間次元Ｍ値直交振幅変調（ＱＡＭ）信号、および（６）Ｎ時間次元およびＬ周波数次元Ｍ値振幅、位相、および周波数変調（ＡＰＦＳＫ）信号のうちの１つである、請求項１８に記載のＭ値エンコーディング方法。
【請求項３１】
バイナリデータ（ＤＡＴＡ）の各Ｋ個のバイナリビット単位を符号化して、第１の入力コードおよび第２の入力コードを生成するための符号化ユニットと、
前記第１の入力コードを受信し、Ｎ1個のＭ1値信号を生成するための第１の信号ジェネレータと、
前記第２の入力コードを受信し、Ｎ2個のＭ2値信号を生成するための第２の信号ジェネレータと、
前記Ｎ1個のＭ1値信号および前記Ｎ2個のＭ2値信号を時間的に多重化して、実数Ｍ値信号を生成するための第１の時分割多重化モジュールと、
を備え、
前記Ｋは整数であり、
前記Ｎ1、Ｎ2、Ｍ1、およびＭ2はそれぞれ整数であり、
ＮはＮ1＋Ｎ2に等しい整数である、
実数Ｍ値エンコーディング装置。
【請求項３２】
バイナリデータ（ＤＡＴＡ）の各Ｋ個のビット単位を符号化するステップと、
前記符号化されたバイナリデータ（ＤＡＴＡ）をＮ1個のＭ1値信号にマッピングするステップと、
前記符号化されたバイナリデータ（ＤＡＴＡ）をＮ2個のＭ2値信号にマッピングするステップと、
前記Ｎ1個のＭ1値信号およびＮ2個のＭ2値信号を時間的に多重化して、第１の実数Ｍ値信号を生成するステップと、
を含み、
前記Ｋは整数であり、
前記Ｎ1、Ｎ2、Ｍ1、およびＭ2はそれぞれ整数であり、
ＮはＮ1＋Ｎ2に等しい整数である、
実数Ｍ値エンコーディング方法。